(57)【特許請求の範囲】
【請求項１】
放射線シールド装置（３１）を挿入するためのシース本体（１）と、該シース本体の先端に設けられたディスポーザブル注射針（６）を装着するためのメールルアー部（２）と、薬液充填済シリンジ（３２）の先端開口部のゴム栓（３３）を貫通するための上記メールルアー部の内側から下方に伸びる貫通針（３）と、を有する注射筒シース（４）の上記貫通針を抜き取る針抜き装置であって、
抜き取った上記貫通針を収集するための収集箱（１４）に立設され、上記シース本体の内径より小さく上記注射筒シースが被せられて上記貫通針が内空へ突出する中空筒（１１）と、
一端がレバー（１３）と連動し他端が上記中空筒に設けた軸穴（１５）を通して上記中空筒の内空に回転可能に配置され、上記他端には、上記注射筒シースが上記中空筒に被せられたとき上記中空筒内へ突出する上記貫通針が挿入される通過孔（１６）を有し、上記通過孔に上記貫通針が挿入された状態で上記レバーの操作による回転にて上記メールルアー部の内側から上記貫通針を抜き取る回転軸（１２）と、
を備えたことを特徴とする針抜き装置。
【請求項２】
上記注射筒シースは、上記放射線シールド装置の透視窓部（３４）に対応して上記シース本体から切り取られた切欠部（５）をさらに有し、上記回転軸は、上記切欠部の幅（ｘ）よりも小さい径を有する円柱又は多角形である、請求項１記載の針抜き装置。
【請求項３】
上記注射筒シースが上記中空筒に被せられたとき、上記貫通針の下端（３ａ）は、上記通過孔のほぼ中心に位置するか、又は上記回転軸と上記中空筒との間隙（ｙ）を超えない長さの範囲で上記通過孔から突出して位置する、請求項１又は２記載の針抜き装置。
【請求項４】
上記中空筒は、透明である、請求項１から３のいずれかに記載の針抜き装置。
【発明の詳細な説明】
【０００１】
【産業上の利用分野】
本発明は、医療用の注射用具、詳しくは、薬液が既に充填されている注射器に使用されディスポーザブル注射針を装着することが可能な注射筒シース、および該シースの貫通針を簡単に抜取り、針部分とシース本体とを分離廃棄することを可能とした針抜き装置に関するものである。
【０００２】
【従来の技術】
図２に示すような、シリンジ内に薬液を充填し、該シリンジの先端開口部をゴム栓（３３）により封止するとともに後部をガスケット（３５）により封止している薬液充填済シリンジ（３２）が知られており、特に放射性医薬品の分野においては、放射性薬液の移し換え操作が不要であるので作業中の術者の放射線被曝を軽減させ、しかも、放射性廃棄物を減少させることができるため汎用されている。
放射性薬液注射の際には、放射線被曝を軽減させるために、図１および図２に示すような、鉛ガラス製の透視窓部（３４）を側壁に有する放射線シールド装置（３１）に該シリンジ（３２）を収納して使用する。
【０００３】
本発明者等は、該放射線シールド装置の使用に際して、薬液充填済シリンジに針を簡単に装着することができ、その際、汎用のディスポーザブル注射針を使用可能とし、投与前の血管確保の確認ができるとともに、術者の手指が傷つくことを効果的に防止することができ、かつ、放射性薬液をセットする前に針先合わせを行うことが可能である注射筒シースを発明した（特願平５─３３９７０９）。
【０００４】
これらの使用にあたっては、まず、放射線シールド装置（３１）に収納された薬液充填済シリンジ（３２）内のガスケット（３５）にプランジャー（３７）を螺着し、一方、注射筒シースのメールルアー部（２）  にディスポーザブル注射針（６）  を装着したものを用意する。次に、シース本体（１）  に該放射線シールド装置を挿入し、貫通針（３）  をゴム栓（３３）に貫通させて投与準備を完了する。
患者への投与に際しては、患者の血管に刺針した後、一旦プランジャー（３７）を少し引いて血液を逆流させ、ディスポーザブル注射針（６）  の透明なフィメールルアー部（６ａ）と注射筒シースのメールルアー部（２）  との隙間（８）  において血液を目視し、血管確保の視認を行う。
【０００５】
【発明が解決しようとする課題】
近年、エイズやＣ型肝炎のように、医療現場におけるバイオハザードの問題がクローズアップされており、注射器等の医療廃棄物の取扱いには細心の注意を払わなければならない。そのうえ、放射性薬液を使用した場合は、さらに放射性廃棄物として厳重に管理しなければならない。このため、医療廃棄物および放射性廃棄物の量は極力少なくすることが望ましい。
また、ゴミ問題も深刻化しているため、ゴミの種類  （材質）  によって分別されることが望ましい。
【０００６】
【課題を解決するための手段：構成】
本発明は、上記課題を解決するために発明された注射筒シースおよびその針抜き装置であって、注射筒シースの貫通針を簡単に抜取り、針部分とシース本体とを分離することを可能とした注射筒シースおよび該シースの針抜き装置を提供するものである。
【０００７】
すなわち、放射線シールド装置（３１）を挿入するためのシース本体（１）  と、該シース本体の先端に設けられたディスポーザブル注射針（６）  を装着するためのメールルアー部（２）  および薬液充填済シリンジ（３２）の先端開口部のゴム栓（３３）を貫通するための該メールルアー部の内側から下方に伸びる貫通針（３）  を有する注射筒シース（４）  であって、
シース本体には、放射線シールド装置の透視窓部（３４）に対応する部分を切り取った切欠部（５）  があり、貫通針の下端（３ａ）は該切欠部の上端（５ａ）より下方に位置することを特徴とする注射筒シースである。
さらには、注射筒シースの貫通針を抜き取る針抜き装置であって、中空筒（１１）と、回転軸（１２）および回転軸を回転させるためのレバー（１３）からなり、
中空筒は、シース本体の内径より小さい外径を有する内空の筒であって、該中空筒は抜いた針を収集するための収集箱（１４）の上面に垂直に取りつけられ、該中空筒の上端には回転軸を通すための軸穴（１５）があり、
回転軸（１２）は、該シースの切欠部（５）  の幅ｘより小さい径を有する円柱あるいは多角柱であり、その一端はレバー（１３）と連動しており、他端は中空筒に設けられた軸穴（１５）を通って中空筒の内空に中空筒に対して直角に配置され、
該回転軸には、該シースの切欠部（５）  を軸穴（１５）側にあわせて注射筒シースを中空筒に被せたときに、貫通針の下端（３ａ）を下方に向かって真っ直ぐに通すことができる通過孔（１６）があり、
その際、貫通針の下端（３ａ）は、該通過孔（１６）のほぼ中心に位置するか、あるいは回転軸と中空筒との間隙ｙを超えない長さの範囲で通過孔（１６）の下方に位置するようにしたことを特徴とする注射筒シース用の針抜き装置である。
【０００８】
本発明の注射筒シースは、放射線シールド装置内の薬液充填済シリンジに針を簡単に装着でき、その際、貫通針がシース本体の内側にあるため術者の手指が傷つく危険性を回避することができ、用途に応じて様々な径や針長の汎用のディスポーザブル注射針の使用が可能となり、かつ、ディスポーザブル注射針と注射筒シースの隙間において血管確保の確認ができるものである。
また、本注射筒シースに対して本発明の針抜き装置を使用するれば、医療廃棄物および放射性廃棄物である貫通針を安全に分離することができ、また、未使用のまま不要になった注射筒シースにおいても、シース本体と貫通針を分離することができ、金属製である貫通針と、プラスチック製であるシース本体を分別廃棄することが可能となる。
【０００９】
【実施例】
以下、実施例をあげて一例について述べる。
なお、便宜上、注射筒シースのメールルアー部側を上として説明する。
【００１０】
本発明による注射筒シースは、図１ないし図３に示すような構造であり、放射線シールド装置を挿入するためのシース本体（１）  と、その先端に汎用のディスポーザブル注射針（６）  の装着を可能とするためのメールルアー部（２）  、および該メールルアー部の内側から下方に伸びる貫通針（３）  から構成され、シース本体（１）  は、放射線シールド装置（３１）の翼部（３６）直前まで伸びており、鉛ガラス製の透視窓部（３４）に対応する部分を切り取った切欠部（５）  を有する。該切欠部の後端に広がり部（５ｂ）を持たせれば、放射線シールド装置への装着が容易になる。また、切欠部（５）  の上方にはディスポーザブル注射針（６）  の針先の向きを合わせるための目印（７）  を設けてもよい。
【００１１】
シース本体の材質は、ポリプロピレン，ポリエチレン，ポリカーボネート，ポリスチレン等のような滅菌処理が容易で重量の軽いプラスチック樹脂が望ましいく、外観，  美観上の観点から透明なものや着色されたものであっても使用可能であることは言うまでもない。
【００１２】
メールルアー部（２）  の内側には、下方に伸びる貫通針（３）  を有する。このとき、貫通針の下端（３ａ）は、切欠部の上端（５ａ）より下方に位置し、シース本体（１）  に放射線シールド装置（３１）を挿入した時、該放射線シールド装置（３１）内に収納された薬液充填済シリンジ（３２）の先端開口部のゴム栓（３３）を貫通した貫通針の下端（３ａ）が透視窓部（３４）越しに目視することができるようになっている。
【００１３】
また、図９のように、メールルアー部の内側の上端に貫通針（３）  の外径より小さな貫通穴（２ａ）を設け、その下部に貫通針（３）  を挿入し一体成形すれば、貫通針（３）  をゴム栓（３３）を貫通させた時にかかる大きな力によってもメールルアー部と貫通針の接着が外れて貫通針が抜ける心配がなく、好適である。
【００１４】
次に、該注射筒シースの貫通針を抜き取る針抜き装置について、図４ないし図８を参照して説明する。
本発明の針抜き装置は、中空筒（１１）と、回転軸（１２）および回転軸を回転させるためのレバー（１３）からなる。
中空筒（１１）は、シース本体の内径より小さい外径を有する内空の筒であって、該中空筒は抜いた針を収集するための収集箱（１４）の上面に垂直に取りつけられている。該中空筒の内空は収集箱（１４）の上面を貫通している。また、該中空筒の上端には回転軸（１２）を通すための軸穴（１５）を設ける。
該中空筒（１１）は、内部を空洞にしたり、軸穴（１５）を成形するためにもプラスチックのごとく、加工成形のしやすい材質が望ましい。また、透明にすれば、貫通針（３）  が抜ける様子を目視することが可能となる。
【００１５】
回転軸（１２）は金属製で、該シースの切欠部（５）  の幅ｘより小さい径を有する円柱あるいは多角柱であり、その一端には小さな歯車（１７）が取りつけられ、大きな歯車（１８）を介してレバー（１３）と連動しており、他端は中空筒に設けられた軸穴（１５）を通って中空筒の内部に中空筒に対して直角に配置される。
なお、該回転軸の材質は、金属以外に硬質のプラスチック等でも使用可能である。
該回転軸には、図４および図８のごとく、静止状態  （レバーを操作しない状態）  において、注射筒シースの切欠部（５）  を軸穴（１５）側にあわせて該シースを中空筒（１１）に被せたときに貫通針の下端（３ａ）を下方に向かって真っ直ぐに通すことができる通過孔（１６）があり、その際、貫通針の下端（３ａ）は、該通過孔（１６）のほぼ中心に位置するか、あるいは回転軸と中空筒との間隙ｙを超えない長さの範囲で通過孔（１６）の下方に位置するようになっている。
【００１６】
この時、もし、貫通針の下端（３ａ）が回転軸（１２）の通過孔（１６）のほぼ中心に達していなければ針を巻き取ることはできないし、あるいは、針の下端（３ａ）が回転軸と中空筒との間隙ｙを超えて下方に位置していれば針を巻き取ることは可能であるが、抜き取った針が回転軸にからまったままとれなくなることもあり不都合である。
該通過孔（１６）は、貫通針（３）  よりも少し太い幅を有すればよく、円柱状でも多角柱状でもよいが、図７に示すように回転軸の端まで切り抜いたコの字型  （上から見た時）  にしてもよい。さらに、中空筒（１１）を透明にし、貫通針が抜ける様子を目視することもできる。
【００１７】
レバー（１３）を操作して回転軸（１２）を回転させる時、貫通針（３）  は、通過孔（１６）の上端を支点として下方に向かって引っ張られる  （巻き取られる）  。
該レバー（１３）は、大きな歯車（１８）の軸に固定されており、レバーを操作した時、その力は大きな歯車（１８）から小さな歯車（１７）に伝わり、回転軸（１２）を回転させるので、比較的小さな力でレバーを操作することができる。
なお、本実施例では、２つの歯車によってレバーと回転軸とを連動させ、レバーを弧を描くように動かすものを示したが、レバーは、回転軸を容易に回転させることができれば、どういったものであってもよい。
針を抜き取った後、回転軸（１２）を元の状態  （静止状態）  に戻すため、バネ（１９）等の復元力のある機構が取付けられる。回転軸が元の状態に戻る時、抜き取られた貫通針（３）  は中空筒の内空を通って下に落ち、収集箱（１４）に収まる。
また、レバー（１３）あるいは本体側に、螺子式のストッパー（２０）を設ければ、これを調節することによって静止状態の微調整を行うことができる。
【００１８】
また、収集箱（１４）には、ディスポーザブル注射針（６）  を抜くための、鍵穴状の針抜き穴（２１）を設けてもよい。
【００１９】
【発明の効果】
本発明は、上記のような注射筒シースであるので、放射線シールド装置内の薬液充填済シリンジに針を簡単に装着することができ、その際、術者が手指を傷つけることがなく、汎用のディスポーザブル注射針を使用可能とし、かつ、ディスポーザブル注射針と注射筒シースの隙間において血管確保の確認ができるものである。
さらに、本針抜き装置を使用すれば、手指に触れることなく貫通針を抜くことができる。
また、金属製の針と、プラスチック製のシース本体を分別廃棄することが可能となる。
【図面の簡単な説明】
【図１】本発明の注射筒シースに放射線シールド装置を挿入し、薬液投与準備を完了した時の斜視図。
【図２】図１に示した放射線シールド装置等の断面図。
【図３】本発明の注射筒シースを正面から見た時の断面図。
【図４】本発明の針抜き装置に本発明の注射筒シースを被せた時の斜視図。
【図５】本発明の針抜き装置を正面から見た時の平面図。
【図６】図５に示した針抜き装置を側面から見た時の平面図。
【図７】図５に示した針抜き装置を上から見た時の平面図。
【図８】図５に示した針抜き装置の静止状態における回転軸と貫通針を正面から見た時の平面図。
【図９】本発明の注射筒シースのメールルアー部の拡大図。
【符号の説明】
１：シース本体
２：メールルアー部
２ａ：貫通穴
３：貫通針
３ａ：貫通針の下端
４：注射筒シース
５：切欠部
５ａ：切欠部の上端
５ｂ：広がり部
６：ディスポーザブル注射針
６ａ：ディスポーザブル注射針のフィメールルアー部
７：目印
１１：中空筒
１２：回転軸
１３：レバー
１４：収集箱
１５：軸穴
１６：通過孔
１７：小さな歯車
１８：大きな歯車
１９：バネ
２０：ストッパー
２１：針抜き穴
３１：放射線シールド装置
３２：薬液充填済シリンジ
３３：ゴム栓
３４：透視窓部
３５：ガスケット
３６：翼部
３７：プランジャー
【図１】
0003558721.tif 000002
【図２】
0003558721.tif 000003
【図３】
0003558721.tif 000004
【図４】
0003558721.tif 000005
【図５】
0003558721.tif 000006
【図６】
0003558721.tif 000007
【図７】
0003558721.tif 000008
【図８】
0003558721.tif 000009
【図９】
0003558721.tif 000010